(57)【要約】【課題】表示するコンテンツのデータ量及び表示媒体の表示量または枚数に応じて、複数の表示媒体に対する書込みを適切に行う。【解決手段】書込装置２０の制御部２２により電子ペーパー５０の枚数が計数され、コンピュータ３０に出力される。コンピュータ３０の制御部３２により表示用データが頁変換される。更に、コンピュータ３０の制御部３２により電子ペーパー５０の枚数と表示用データの頁数とが比較され、電子ペーパー５０の枚数が表示用データの頁数より少ない場合には、書込禁止、書込範囲の指定、サムネイル表示、Ｎアップ表示のいずれかの書込態様で電子ペーパー５０に対する書込みの仕方を制御する。【選択図】        図４
2004286952.tif 000002
【特許請求の範囲】
【請求項１】
表示用データに応じた画像を書込むための複数の表示媒体の表示量を検出する検出手段と、
前記表示用データのデータ量と前記検出手段で検出された表示量とを比較し、比較結果に応じて前記複数の表示媒体への書込みの仕方を制御する制御手段と、
を含む書込装置。
【請求項２】
前記制御手段は、前記表示用データのデータ量が前記検出された表示量を越える場合には、前記表示用データの前記複数の表示媒体に対する書込みを禁止するように制御する請求項１記載の書込装置。
【請求項３】
前記制御手段は、前記表示用データのデータ量が前記検出された表示量を越える場合には、前記表示用データの指定された範囲を前記表示媒体に書込むように制御する請求項１記載の書込装置。
【請求項４】
前記制御手段は、前記表示用データのデータ量が前記検出された表示量を越える場合には、少なくとも越えた部分の表示用データをサムネイル画像で前記表示媒体に書込むように制御する請求項１記載の書込装置。
【請求項５】
前記制御手段は、前記表示用データのデータ量が前記検出された表示量を越える場合には、前記表示用データを縮小して前記表示媒体に書込むように制御する請求項１記載の書込装置。
【請求項６】
前記制御手段は、前記表示用データのデータ量が前記検出された表示量を越える場合には、前記表示用データの前記複数の表示媒体に対する書込みを禁止するように制御する第１の制御、前記表示用データの指定された範囲を前記表示媒体に書込むように制御する第２の制御、少なくとも越えた部分の表示用データをサムネイル画像で前記表示媒体に書込むように制御する第３の制御、及び前記表示用データを縮小して前記表示媒体に書込むように制御する第４の制御のいずれか１つの制御を行う請求項１記載の書込装置。
【請求項７】
前記表示用データのデータ量が前記検出された表示量を越える場合には、表示媒体の不足量を報知する報知手段を更に含む請求項１乃至請求項７のいずれか１項記載の書込装置。
【請求項８】
表示用データに応じた画像を書込むための複数の表示媒体の枚数を検出する検出手段と、
前記表示用データのデータ量と単位表示媒体に対する表示容量とに基づいて、前記表示用データを書込むための表示媒体の枚数を演算する演算手段と、
前記検出された表示媒体の枚数と前記演算された表示媒体の枚数とを比較し、比較結果に応じて前記複数の表示媒体への書込みの仕方を制御する制御手段と、
を含む書込装置。
【請求項９】
前記制御手段は、前記演算された表示媒体の枚数が前記検出された表示媒体の枚数を越える場合には、表示用データの前記複数の表示媒体に対する書込みを禁止するように制御する請求項８記載の書込装置。
【請求項１０】
前記制御手段は、前記演算された表示媒体の枚数が前記検出された表示媒体の枚数を越える場合には、前記表示データの指定された範囲を前記表示媒体に書込むように制御する請求項８記載の書込装置。
【請求項１１】
前記制御手段は、前記演算された表示媒体の枚数が前記検出された表示媒体の枚数を越える場合には、少なくとも越えた部分の表示用データをサムネイル画像で前記表示媒体に書込むように制御する請求項８記載の書込装置。
【請求項１２】
前記制御手段は、前記演算された表示媒体の枚数が検出された表示媒体の枚数を越える場合には、前記表示データを縮小して前記表示媒体に書込むように制御する請求項８記載の書込装置。
【請求項１３】
前記制御手段は、前記演算された表示媒体の枚数が前記検出された表示媒体の枚数を越える場合には、前記表示用データの前記複数の表示媒体に対する書込みを禁止するように制御する第１の制御、前記表示用データの指定された範囲を前記表示媒体に書込むように制御する第２の制御、少なくとも越えた部分の表示用データをサムネイル画像で前記表示媒体に書込むように制御する第３の制御、及び前記表示用データを縮小して前記表示媒体に書込むように制御する第４の制御のいずれか１つの制御を行う請求項８記載の書込装置。
【請求項１４】
前記演算された表示媒体の枚数が前記検出された表示媒体の枚数を越える場合には、表示媒体の不足枚数を報知する報知手段を更に含む請求項８乃至請求項１３のいずれか１項記載の書込装置。
【請求項１５】
表示用データに応じた画像を書込むための複数の表示媒体の表示量を検出する検出工程と、
前記表示用データのデータ量と前記検出工程で検出された表示量とを比較し、比較結果に応じて前記複数の表示媒体への書込みの仕方を制御する制御工程と、
を含む書込方法。
【請求項１６】
表示用データに応じた画像を書込むための複数の表示媒体の枚数を検出する検出工程と、
前記表示用データのデータ量と単位表示媒体に対する表示容量とに基づいて、前記表示用データを書込むための表示媒体の枚数を演算する演算工程と、
前記検出された表示媒体の枚数と前記演算された表示媒体の枚数とを比較し、比較結果に応じて前記複数の表示媒体への書込みの仕方を制御する制御工程と、
を含む書込方法。
【発明の詳細な説明】
【０００１】
【発明の属する技術分野】
本発明は、複数の表示媒体に対する書込みを行う書込装置及び書込方法に関し、特に、複数の電子ペーパーにより構成される電子書籍や複数のディスプレイにより構成されるマルチディスプレイシステム等に用いて好適な、複数の表示媒体に対する書込みを行う書込装置及び書込方法に関する。
【０００２】
【従来の技術】
書籍コンテンツを、複数枚からなる書換え可能な表示媒体に書込み、紙からなる書籍と同様の形態や使い勝手を実現する技術は既に知られている。例えば、複数枚の可逆性感熱記録媒体を蛇腹状に綴じ合せて書籍の形態を実現した表示・記録シート（例えば、特許文献１参照。）や、書籍と同様に綴じられてなる複数枚の可逆性感熱記録媒体を複数枚の発熱シートに挟み込むことにより一括して画像を形成する表示記録装置（例えば、特許文献２参照。）が知られている。また、頁の表面に形成された可逆性感熱記録層に互いに影響を及ぼすこと無く画像の記録並びに消去を行う両面表示記録媒体も知られている（例えば、特許文献３参照。）。
【０００３】
【特許文献１】
特開平８−１４２５２５号公報
【特許文献２】
特開平８−１４６３８８号公報
【特許文献３】
特開平８−１９２５９０号公報
【０００４】
【発明が解決しようとする課題】
しかしながら、このような書籍状の形態を有する複数枚からなる書換え可能な表示媒体に書込みを行う書込装置で、複数枚同時に書込みを行う際、表示するコンテンツのデータ量よりも表示媒体の枚数が少ない場合には、全てのコンテンツを表示媒体に書込むことができないためコンテンツの表示が途中で切れてしまう、という問題がある。また、ユーザが表示媒体の枚数が不足していることに気づかずに書込みが行われ、情報が必要な時に、コンテンツの表示が途中で切れていて必要な情報が得られないといった事態が発生していた。
【０００５】
本発明は、上述した課題を解決するために提案されたものであり、表示するコンテンツのデータ量及び表示媒体の表示量または枚数に応じて、複数の表示媒体に対する書込みを適切に行うことができる書込装置及び書込方法を提供することを目的としている。
【０００６】
【課題を解決するための手段】
上記目的を達成するために、第１の発明の書込装置は、表示用データに応じた画像を書込むための複数の表示媒体の表示量を検出する検出手段と、前記表示用データのデータ量と前記検出手段で検出された表示量とを比較し、比較結果に応じて前記複数の表示媒体への書込みの仕方を制御する制御手段と、を含んで構成されている。
【０００７】
本発明では、検出手段により複数の表示媒体の表示量が検出される。制御手段により、表示用データのデータ量と検出手段で検出された表示量とが比較され、比較結果に応じて複数の表示媒体への書込みの仕方が制御される。
【０００８】
これにより、表示する表示用データ（コンテンツ）のデータ量及び表示媒体の表示量（複数の表示媒体が表示することができるデータ量）に応じて、複数の表示媒体に対する書込みを適切に行うことができる。
【０００９】
なお、表示用データのデータ量は、特に限定されず、例えば画像データを表示媒体に書込む場合には、ビットマップデータ量であってもよいし、文字のみを書込む場合にはテキストデータ量であってもよい。
【００１０】
本発明の前記制御手段は、前記表示用データのデータ量が前記検出された表示量を越える場合には、前記表示用データの前記複数の表示媒体に対する書込みを禁止するように制御することもできる。
【００１１】
なお、書込みを禁止するように制御する場合に、ユーザに書込みを禁止する旨を報知するようにしてもよい。
【００１２】
本発明の前記制御手段は、前記表示用データのデータ量が前記検出された表示量を越える場合には、前記表示用データの指定された範囲を前記表示媒体に書込むように制御することもできる。
【００１３】
本発明の前記制御手段は、前記表示用データのデータ量が前記検出された表示量を越える場合には、少なくとも越えた部分の表示用データをサムネイル画像で前記表示媒体に書込むように制御することもできる。
【００１４】
本発明の前記制御手段は、前記表示用データのデータ量が前記検出された表示量を越える場合には、前記表示用データを縮小して前記表示媒体に書込むように制御することもできる。
【００１５】
なお、縮小され過ぎて表示内容が目視できなくなるのを防ぐために、縮小率の上限値が指定されていてもよい。
【００１６】
本発明の前記制御手段は、前記表示用データのデータ量が前記検出された表示量を越える場合には、前記表示用データの前記複数の表示媒体に対する書込みを禁止するように制御する第１の制御、前記表示用データの指定された範囲を前記表示媒体に書込むように制御する第２の制御、少なくとも越えた部分の表示用データをサムネイル画像で前記表示媒体に書込むように制御する第３の制御、及び前記表示用データを縮小して前記表示媒体に書込むように制御する第４の制御のいずれか１つの制御を行うようにすることもできる。
【００１７】
なお、これらの制御は、表示用データのデータ量が検出された表示量を越える場合にユーザにより選択されるようにしてもよいし、予め設定された制御が自動的に実行されるようにしてもよい。
【００１８】
このように、制御手段が書込みの仕方を制御することにより、表示媒体が不足している場合であっても表示媒体に対して適切な書込みが行われる。
【００１９】
本発明は、前記表示用データのデータ量が前記検出された表示量を越える場合には、表示媒体の不足量を報知する報知手段を更に含んで構成されることもできる。
【００２０】
例えば、ディスプレイ等の表示装置に表示して報知するようにしてもよいし、音声により報知するようにしてもよい。これにより、ユーザは、表示媒体の表示量が不足していることを認識でき、例えば表示媒体を追加する等の対策をとることができる。
【００２１】
また、第２の発明の書込装置は、表示用データに応じた画像を書込むための複数の表示媒体の枚数を検出する検出手段と、前記表示用データのデータ量と単位表示媒体に対する表示容量とに基づいて、前記表示用データを書込むための表示媒体の枚数を演算する演算手段と、前記検出された表示媒体の枚数と前記演算された表示媒体の枚数とを比較し、比較結果に応じて前記複数の表示媒体への書込みの仕方を制御する制御手段と、を含んで構成されている。
【００２２】
本発明では、検出手段により複数の表示媒体の枚数が検出される。演算手段により、表示用データのデータ量と単位表示媒体に対する表示容量とに基づいて、表示用データを書込むための表示媒体の枚数が演算される。制御手段により、検出された表示媒体の枚数と演算された表示媒体の枚数とが比較され、比較結果に応じて複数の表示媒体への書込みの仕方が制御される。
【００２３】
これにより、演算された表示用データを書込むための表示媒体の枚数及び検出された表示媒体の枚数に応じて、複数の表示媒体に対する書込みを適切に行うことができる。
【００２４】
本発明の前記制御手段は、前記演算された表示媒体の枚数が前記検出された表示媒体の枚数を越える場合には、表示用データの前記複数の表示媒体に対する書込みを禁止するように制御することもできる。
【００２５】
なお、書込みを禁止するように制御する場合に、ユーザに書込みを禁止する旨を報知するようにしてもよい。
【００２６】
本発明の前記制御手段は、前記演算された表示媒体の枚数が前記検出された表示媒体の枚数を越える場合には、前記表示データの指定された範囲を前記表示媒体に書込むように制御することもできる。
【００２７】
本発明の前記制御手段は、前記演算された表示媒体の枚数が前記検出された表示媒体の枚数を越える場合には、少なくとも越えた部分の表示用データをサムネイル画像で前記表示媒体に書込むように制御することもできる。
【００２８】
本発明の前記制御手段は、前記演算された表示媒体の枚数が検出された表示媒体の枚数を越える場合には、前記表示データを縮小して前記表示媒体に書込むように制御することもできる。
【００２９】
なお、縮小され過ぎて表示内容が目視できなくなるのを防ぐために、縮小率の上限値が指定されていてもよい。
【００３０】
本発明の前記制御手段は、前記演算された表示媒体の枚数が前記検出された表示媒体の枚数を越える場合には、前記表示用データの前記複数の表示媒体に対する書込みを禁止するように制御する第１の制御、前記表示用データの指定された範囲を前記表示媒体に書込むように制御する第２の制御、少なくとも越えた部分の表示用データをサムネイル画像で前記表示媒体に書込むように制御する第３の制御、及び前記表示用データを縮小して前記表示媒体に書込むように制御する第４の制御のいずれか１つの制御を行うこともできる。
【００３１】
なお、これらの制御は、演算された表示媒体の枚数が検出された表示媒体の枚数を越える場合にユーザにより選択されるようにしてもよいし、予め設定された制御が自動的に実行されるようにしてもよい。
【００３２】
このように、制御手段が書込みの仕方を制御することにより、表示媒体が不足している場合であっても表示媒体に対して適切な書込みが行われる。
【００３３】
本発明は、前記演算された表示媒体の枚数が前記検出された表示媒体の枚数を越える場合には、表示媒体の不足枚数を報知する報知手段を更に含んで構成されることもできる。
【００３４】
例えば、ディスプレイ等の表示装置に表示して報知するようにしてもよいし、音声により報知するようにしてもよい。これにより、ユーザは、表示媒体の枚数が不足していることを認識でき、例えば表示媒体を追加する等の対策をとることができる。
【００３５】
また、第３の発明の書込方法は、表示用データに応じた画像を書込むための複数の表示媒体の表示量を検出する検出工程と、前記表示用データのデータ量と前記検出工程で検出された表示量とを比較し、比較結果に応じて前記複数の表示媒体への書込みの仕方を制御する制御工程と、を含んで構成されている。
【００３６】
このような方法を実行することにより、表示する表示用データ（コンテンツ）のデータ量及び表示媒体の表示量に応じて、複数の表示媒体に対する書込みを適切に行うことができる。
【００３７】
また、第４の発明の書込方法は、表示用データに応じた画像を書込むための複数の表示媒体の枚数を検出する検出工程と、前記表示用データのデータ量と単位表示媒体に対する表示容量とに基づいて、前記表示用データを書込むための表示媒体の枚数を演算する演算工程と、前記検出された表示媒体の枚数と前記演算された表示媒体の枚数とを比較し、比較結果に応じて前記複数の表示媒体への書込みの仕方を制御する制御工程と、を含んで構成されている。
【００３８】
このような方法を実行することにより、演算された表示用データを書込むための表示媒体の枚数及び検出された表示媒体の枚数に応じて、複数の表示媒体に対する書込みを適切に行うことができる。
【００３９】
なお、上述した全ての発明において、表示媒体は、追加や取り外しが可能な表示媒体とすることができる。また、表示媒体の種類は特に限定されず、電子ペーパーであっても、ディスプレイであってもよい。また、複数の表示媒体が書籍状に綴じられた状態であってもよいし、バインダリング等で纏められた状態であってもよい。また、片面に表示されるような構成であってもよいし、両面に表示されるような構成であってもよい。
【００４０】
【発明の実施の形態】
以下、本発明の好ましい実施の形態について図面を参照しながら詳細に説明する。なお、以下では、本発明を書込システムに適用した場合について説明する。
【００４１】
図１は、第２の発明の書込装置を適用した書込システムの概略構成図である。
【００４２】
図示される書込システム１０は、表示媒体としての電子ペーパー５０に対して光書込みを行う書込装置２０とコンピュータ３０とにより構成されている。
【００４３】
書込装置２０には、制御部２２と、電子ペーパー５０へ電圧を印加する電圧印加部２４と、電子ペーパー５０へ光画像を投影する光画像投影部２６と、無線インタフェース（Ｉ／Ｆ）２８とが設けられている。無線Ｉ／Ｆ２８にはアンテナ２９が接続されている。
【００４４】
光画像投影部２６は、電子ペーパー５０の光導電層（後述）に対して書込む画像を投影する。電圧印加部２４は、光画像投影部２６による照射と同期して電子ペーパー５０の透明電極（後述）にパルス電圧を印加する。無線Ｉ／Ｆ２８は、電子ペーパー５０に設けられたＲＦＩＤ（Ｒａｄｉｏ  Ｆｒｅｑｕｅｎｃｙ  Ｉｄｅｎｔｉｆｉｃａｔｉｏｎ）タグ（後述）に書込まれた情報をアンテナ２９を介して受信する。制御部２２は、マイクロコンピュータで構成され、光画像投影部２６、電圧印加部２４、及び無線Ｉ／Ｆ２８を制御する。また、制御部２２は、マイクロコンピュータ内の図示しないＲＯＭに記録されている、電子ペーパー５０の枚数を計数し、書込みを行う処理ルーチンのプログラムを実行する。
【００４５】
コンピュータ３０には、制御部３２が設けられ、制御部３２には、入力部３６と、表示部３４とが接続されている。
【００４６】
表示部３４は、電子ペーパー５０の書込態様や書込条件を設定するためのメニュー画面や、電子ペーパー５０の不足枚数、書込禁止メッセージ等を表示する。入力部３６は、電子ペーパー５０の書込態様や書込条件の設定等を入力するためのものである。制御部３２は、マイクロコンピュータで構成され、表示部３４及び入力部３６を制御すると共に、マイクロコンピュータ内の図示しないＲＯＭに記録されている、書込装置２０の制御部２２から入力された電子ペーパー５０の計数結果に基づいて書込装置２０の書込みの仕方を制御するための処理ルーチンのプログラムを実行する。
【００４７】
電子ペーパー５０は、書込みシステム１０により表示用データに応じた画像が光書込みされる。また、電子ペーパー５０は、バインダリング７０に複数枚纏めて綴じられており、電子書籍として用いることができる。更に、電子ペーパー５０は、バインダリング７０を外すことにより各々がバインダリング７０に対して着脱自在な構成となっている。
【００４８】
図２（ａ）は、電子ペーパー５０の一例を示す図である。図２（ｂ）は、電子ペーパー５０の断面図であり、電子ペーパー５０の層構成を示している。
【００４９】
図２（ａ）に示される電子ペーパー５０には、電子ペーパー５０の製造番号等の固有の番号が記録された図示しない不揮発性メモリを備えたＲＦＩＤタグ（無線タグ）５２と、バインダリング７０に綴じ込むために用いられるバインダ穴５４と、前述の電圧印加部２４からパルス電圧が印加される透明電極５８、透明電極６４とが設けられている。上述したように、電子ペーパー５０はバインダリング７０を外して追加、取り外しを自在に行うことができる。
【００５０】
なお、ＲＦＩＤタグ５２にはバッテリは装備されていないが、外部のアンテナ２９からの電波を受信することにより図示しないアンテナコイルで起電力が発生し、これにより駆動電力を得ることができる。
【００５１】
また、図２（ｂ）に示されるように、電子ペーパー５０は、表示側透明基板５６と、透明電極５８と、液晶表示素子６０と、光導電層６２と、透明電極６４と、光入射側透明基板６６とが層状に構成され、光導電層６２に対して前述の光画像投影部２６から書込まれる画像が投影されると共に、透明電極５８と透明電極６４に電圧印加部２４から電圧が印加されることにより表示領域に画像が書込まれる。
【００５２】
次に、図３のフローチャートを用いて、書込装置２０の制御部２２による処理ルーチンの詳細を説明する。
【００５３】
ステップ１００で、電子ペーパー５０の枚数が計数される。
【００５４】
具体的には、電子ペーパー５０のＲＦＩＤタグ５２に対して、書込装置２０のアンテナ２９を介して電波が送信されると、ＲＦＩＤタグ５２は該電波を受信することにより図示しないアンテナコイルで起電力が発生し、これにより駆動電力を得、アンテナコイルを介して不揮発性メモリに記録された電子ペーパー５０の製造番号が書込装置２０に対して送信される。
【００５５】
制御部２２は無線Ｉ／Ｆ２８を介してバインダリング７０に接続された各電子ペーパー５０の製造番号を受信する。製造番号は各電子ペーパー５０について固有の番号であり、これら異なる製造番号の個数を計数して電子ペーパー５０の枚数を計数する。
【００５６】
ステップ１０２で、計数された電子ペーパー５０の枚数データがコンピュータ３０に送信される。
【００５７】
ステップ１０４で、コンピュータ３０から書込指示が入力されたか否かが判断される。書込指示が入力された場合には、ステップ１０６で、入力された書込指示に従って各電子ペーパー５０に対して書込みが行われる。
【００５８】
制御部２２は、光画像投影部２６を制御して入力された書込指示に基づいた画像を電子ペーパー５０に対して投影させると共に、電圧印加部２４を制御して電子ペーパー５０にパルス電圧を与えることにより、１枚の電子ペーパー５０の書込みを行う。次に、書込みが終了した電子ペーパー５０を裏に移動させ、同様の作業を繰り返すことにより、バインダリング７０に綴じられた電子ペーパー５０すべての書込みが行われる。電子ペーパー５０の移動は、手動で行われるようにしてもよいし、自動で行われるようにしてもよい。
【００５９】
ステップ１０４で、書込指示が入力されない場合には、ステップ１００及びステップ１０２の処理が繰り返される。本実施の形態では、書込指示が入力されない間は、所定の時間間隔で電子ペーパー５０の計数及び出力処理が行われる。なお、本実施の形態において、計数された電子ペーパー５０の枚数が前回計数された枚数と等しい場合には、枚数データの送信を行わないようにしてもよい。
【００６０】
次に、図４及び図５のフローチャートを用いて、コンピュータ３０の制御部３２による処理ルーチンの詳細を説明する。
【００６１】
ステップ２００で、書込装置２０で計数された電子ペーパー５０の枚数が入力されたか否かが判断される。入力されたと判断された場合には、ステップ２０２で、電子ペーパー５０に書込むべき画像の表示用データが頁変換される。
【００６２】
なお、頁変換とは、表示用データを１枚の電子ペーパー５０に書込むデータ量のブロックに区切ることをいい、区切られたブロックの各々が頁として扱われる。この場合、１つのブロックのデータ量は、電子ペーパー５０のサイズに合わせて見やすい状態となり、且つ電子ペーパー５０の１枚あたりの表示容量を越えないように定められる。電子ペーパー５０の１枚あたりの表示容量は、図示されないメモリに予め記録されているようにしてもよい。
【００６３】
また、表示用データはコンピュータ３０の図示しないインタフェースを介して外部の記憶装置から読み込まれるか、或いは図示しないメモリ等に予め記憶されている。また、本実施の形態では、変換前の表示用データは、頁単位で管理されているものではなく、情報量で管理されているものであり、ここで頁変換されることにより、電子ペーパー５０に頁単位で画像が書込まれるようになる。
【００６４】
なお、変換前の表示用データがもともと頁単位で管理されるものであってもよいが、この場合であっても１枚の電子ペーパー５０の表示容量を越えないように頁変換する必要がある。
【００６５】
ステップ２０４で、電子ペーパー５０の枚数とステップ２０２で頁変換された表示用データの頁数とが比較される。表示用データの頁数は、表示用データの区切られた個数を計数することによって得られる。
【００６６】
ステップ２０４における比較の結果、電子ペーパー５０の枚数が表示用データの頁数以上と判断された場合には、変換された表示用データの各頁を各電子ペーパー５０に１体１で対応させて書込むことができるため、ステップ２１８で頁変換された表示用データに対応した画像が先頭頁から最終頁まで順次書込まれるように書込装置２０に対して書込指示が出力される。
【００６７】
ステップ２０４で、電子ペーパー５０の枚数が表示用データの頁数より少ないと判断された場合には、表示部３４に電子ペーパー５０の不足枚数を表示する。ここで、例えば、ユーザがこの表示を見て電子ペーパー５０を追加することもできる。前述したように、書込装置２０側では書込指示が入力されない間は、所定の時間間隔で電子ペーパー５０の計数及び出力処理が行われるため、電子ペーパー５０の枚数が変動した場合であっても、表示媒体の枚数が再計数されて制御部３２に出力される。
【００６８】
ステップ２０８で、電子ペーパー５０の計数結果が再入力されたか否かが判断される。これは、例えば、不足枚数が表示されてから所定時間経過するまでに再入力されたか否かを判断するようにしてもよいし、ステップ２０６で表示部３４に不足枚数と共に、処理中断及び処理続行のいずれかを選択できるメニューを表示させ、ユーザにより入力部３６を用いて処理中断が選択された場合には、処理をいったん中断し（例えば、この間に電子ペーパー５０の追加を行う）、次に処理続行が選択された時に、電子ペーパー５０の枚数が再入力されたか否かを判断するようにしてもよい。
【００６９】
ステップ２０８で、電子ペーパー５０の枚数が再入力されたと判断された場合には、ステップ２０４に戻り、再入力された電子ペーパー５０の枚数と表示用データの頁数が再度比較される。ステップ２０８で再入力されなかったと判断された場合には、次のステップ２１０の処理に移行する。すなわち、上述したように本実施の形態においては、電子ペーパー５０の枚数に変動が無い場合には、制御部３２には計数結果は出力されないことから、再入力が無いと判断された場合には電子ペーパー５０の枚数に変動が無いことになる。従って、このときの電子ペーパー５０の枚数に基づいて以降の処理が行われる。
【００７０】
ステップ２１０で、表示部３４に「書込不要」及び「書込要」のいずれか一方の書込態様を選択できるメニュー（図示せず）を表示させ、ユーザにより入力部３６を用いて選択させる。
【００７１】
「書込不要」は、電子ペーパー５０に何も書込まれないようにする態様である。
【００７２】
「書込要」は、条件設定による書込みを行うようにする態様である。
【００７３】
ステップ２１２で、「書込不要」が選択されたと判断された場合には、ステップ２１４で書込禁止処理が行われる。具体的には、書込装置２０に表示用データを送信しないことで書込みが行われないようにすると共に、書込みが禁止された旨のメッセージを表示部３４に表示する。
【００７４】
ステップ２１２で、「書込要」が選択された場合には、ステップ２１６で「書込範囲指定」、「サムネイル表示」、及び「Ｎアップ表示」のいずれかの態様で書込みを行うように書込装置２０に対して指示が出力される（書込条件指示処理）。ステップ２１６の書込条件指示処理の詳細を図５のフローチャートに示す。
【００７５】
書込条件指示処理では、表示部３４に「書込範囲指定」、「サムネイル表示」、及び「Ｎアップ表示」のいずれかの態様を選択できるメニュー（図示せず）を表示させ、ユーザにより入力部３６を用いて選択させる。
【００７６】
「書込範囲指定」は、ユーザに電子ペーパー５０に書込む範囲を指定させ、指定された範囲の画像を電子ペーパー５０に書込むようにする態様である。
【００７７】
「サムネイル表示」は、書込むことができない頁の画像をサムネイル化して電子ペーパー５０の例えば最終頁にそのサムネイル画像を書込むようにする態様である。
【００７８】
「Ｎアップ表示」は、１枚の電子ペーパー５０にＮ頁分が縮小されて表示されるように書込む態様である。なお、Ｎには縮小され過ぎて表示内容が目視できなくなるのを防ぐために縮小率の上限値に相当するアップ表示の上限値（Ｎ０）が予め設定されており、この上限値Ｎ０を越えないようにＮアップされて書込まれる。
【００７９】
ステップ３００で、「書込範囲指定」が選択されたと判断された場合には、ステップ３０２で、ユーザにより書込範囲が指定されたか否かが判断される。書込範囲の指定の方法は、例えば、入力部３６から書込開始頁及び書込終了頁を入力することで書込範囲を指定するようにしてもよいし、書込開始位置及び書込終了位置を入力することで書込範囲を指定するようにしてもよい。なお、この入力の際、入力された書込範囲が電子ペーパー５０の枚数の範囲内か否かがチェックされ、電子ペーパー５０の枚数より書込範囲の頁数が多い場合には、エラーメッセージが表示部３４に表示される。
【００８０】
ステップ３０２で、書込範囲が指定されたと判断された場合には、ステップ３０４で、指定された書込範囲の画像を書込むように書込装置２０に対して指示が出力される。
【００８１】
ステップ３００で、「サムネイル表示」が選択されたと判断された場合には、ステップ３０６で、ステップ２１８で頁変換された表示用データに対応した画像が先頭頁から最終頁の前まで順次書込まれるように書込装置２０に対して書込指示が出力される。
【００８２】
ステップ３０８で、書込みできなかった頁については、その頁の画像をサムネイル化して全サムネイル画像を電子ペーパー５０の最終頁に書込むように指示が出力される。
【００８３】
ステップ３００で、「Ｎアップ表示」が選択されたと判断された場合には、ステップ３１０で、パラメータＮに２が代入される。ステップ３１２で全頁数をＮで割った商が電子ペーパー５０の枚数以下であるか否か（すなわち、全頁数／Ｎ≦電子ペーパー５０の枚数、であるか否か）が判断される。ここで否定判断された場合には、２アップでも頁変換された表示用データの全データが表示できないので、ステップ３１４で、Ｎに２が加算される。ステップ３１６で、Ｎが上限値Ｎ０を越えたか否か（すなわち、Ｎ＞Ｎ０であるか否か）が判断される。ここで否定判断された場合には、ステップ３１２に戻り、再度、全頁数／Ｎ≦電子ペーパー５０の枚数、であるか否かが判断される。
【００８４】
ステップ３１２で肯定判断された場合には、ステップ３１８で、この時のＮの値でアップして書込むように指示が出力される。すなわち、１枚の電子ペーパー５０にＮ頁分が表示されるように縮小して書込むように指示が出力される。
【００８５】
また、ステップ３１６で肯定判断された場合には、頁変換された表示用データの全データを上限値Ｎ０以内のＮの値でアップして表示させることができないため、ステップ３２０で書込不能のメッセージを表示部３４に表示する。
【００８６】
このように書込指示がコンピュータ３０の制御部３２から書込装置２０に出力されると、前述したように、書込指示に従って書込装置２０で書込処理が実行される。
【００８７】
上記説明したように、表示媒体の枚数を計数し、表示媒体の枚数と表示用データを頁変換して得られた頁数とを比較して、表示媒体の枚数が表示用データの頁数より少ない場合には、書込禁止、書込範囲の指定、サムネイル表示、Ｎアップ表示のいずれかの書込態様で書込みの仕方を制御することにより、複数の表示媒体に対する書込みを適切に行うことができる。
【００８８】
なお、上述した実施の形態では、表示媒体の枚数と表示用データを頁変換して得られた頁数とを比較し、この比較の結果に基づいて複数の表示媒体に対する書込みの仕方を制御する例について説明したが、表示媒体の表示量（複数の表示媒体が表示することができるデータ量）と、表示用データのデータ量とを比較して、この比較の結果に基づいて複数の表示媒体に対する書込みの仕方を制御するようにすることもできる。
【００８９】
なお、上述した実施の形態では、「サムネイル表示」が選択された場合には、頁変換された表示用データに対応した画像が先頭頁から最終頁の前まで順次書込み、書込み不能な頁を最終頁にサムネイル表示する例について説明したが、例えば、「書込範囲指定」を選択した場合のオプションとして「サムネイル表示」が選択できるようにしてもよい。すなわち、書込み範囲指定の際、本実施の形態では、指定された書込範囲の頁数のチェックが行われ、書込範囲が表示媒体の枚数を越えないようにしたが、これに代わり、指定された書込範囲の頁数が表示媒体の枚数を越えた場合には、書込みできない頁についてサムネイル化し、このサムネイル画像を電子ペーパー５０の最終頁に書込むようにしてもよい。
【００９０】
同様に、「Ｎアップ表示」の場合にも、オプションとして「サムネイル表示」を選択できるようにしてもよい。例えば、頁変換された表示用データの全頁を上限値Ｎ０以下でＮアップ表示することが不可能な場合には、上限値Ｎ０をＮとしてＮアップ表示し、電子ペーパー５０の最終頁に書込みできない頁のサムネイル画像を書込むようにしてもよい。
【００９１】
また、上述した実施の形態では、サムネイル表示する場合には、書込み不能な頁のみをサムネイル化して表示する例について説明したが、全頁を各々サムネイル化して表示するようにしてもよい。
【００９２】
更にまた、上述した実施の形態では、ユーザにより書込態様が選択的に入力されて書込みの仕方が制御される例について説明したが、表示媒体の枚数が不足している場合の書込態様を予め設定しておき、自動的に設定された書込態様で表示媒体に書込む（或いは書込禁止）処理を行うようにしてもよい。
【００９３】
更に、上述した実施の形態では、ＲＦＩＤタグを用いて非接触で表示媒体を計数する例について説明したが、本発明はこのような例に限定されず、例えば、表示媒体がコネクタ等により電気的に接続されている場合には、電気的に表示媒体を検知して枚数を計数するようにしてもよい。
【００９４】
また、上述した実施の形態では、片面表示される表示媒体を例にとり説明したが、本発明の表示媒体は特に片面表示の表示媒体に限定されるものではなく、紙による書籍と同様に両面に画像が表示され、見開きで用いることができるような構成とすることもできる。
【００９５】
更に、表示媒体はメモリ性を持つものであっても、メモリ性を持たないものであってもよく、特に限定されない。
【００９６】
また、上述した実施の形態では、電子ペーパーの１枚あたりの表示容量が予め図示されないメモリ等に記録されており、この記録された表示容量に基づいて表示用データが頁変換される例について説明したが、これに限定されず、例えば、表示容量についても表示媒体に設けられたＲＦＩＤタグに記録しておき、表示媒体の計数結果と共に書込装置に送信されるようにしてもよい。これにより、予め表示媒体の表示容量を記録しておく必要がなくなる。
【００９７】
また、上述した実施の形態では、光書込式の電子ペーパー及び書込装置を例にとり説明したが、本発明はこのような光書込式に限定されず、例えば、単純マトリクス駆動或いはアクティブマトリクス駆動の電子ペーパー及びこの電子ペーパーに対して電圧を印加することにより電気的に書込みを行う書込装置としてもよい。
【００９８】
図６は、本発明をこのような電気的に書込みを行う書込装置を用いた書込システムに適用した場合の概略構成図である。
【００９９】
書込システム８０は、書込装置８６及び書込装置８６に接続されたコンピュータ８８により構成されている。
【０１００】
複数の着脱自在な電子ペーパー８４は書込装置８６の図示されないコネクタにより接続されて電子書籍８２を構成している。電子ペーパー８４は、単純マトリクス駆動の表示媒体であり、書込装置８６は、これら電子パーパー８４に対して電気的に書込みを行う。
【０１０１】
書込装置８６の図示されない制御部で、コネクタにより接続された電子ペーパー８４の枚数が計数される。書込装置８６の制御部で計数された電子ペーパー８４の枚数がコンピュータ８８の図示されない制御部に出力される。コンピュータ８８の制御部では表示用データが頁変換され、電子ペーパー８４の枚数と表示用データの頁数とが比較され、比較結果に基づいて書込みの仕方が制御される。
【０１０２】
また、上述した実施の形態では、本発明の表示媒体として電子ペーパーを適用した場合について説明したが、表示媒体は電子ペーパーに限定されるものではなく、例えば、表示媒体を複数のディスプレイとし、本発明の書込装置を複数のディスプレイにより構成されたマルチディスプレイシステムに用いることもできる。
【０１０３】
図７は、本発明をこのようなマルチディスプレイシステムに適用した場合の概略構成図である。
【０１０４】
図示されるように、マルチディスプレイシステム９０において、複数台のディスプレイ９６がケーブル９８及び分岐ユニット９４により１台のホストコンピュータ９２に接続されている。なお、ホストコンピュータ９２が本発明の書込装置に相当する。各ディスプレイが本発明の表示媒体に相当する。なお、ここでは表示用データには各分岐ユニット９４に対応するアドレスデータが付されており、分岐ユニット９４は、ホストコンピュータ９２から入力された表示用データのアドレスデータをチェックすることにより、対応するディスプレイ９６もしくは次の分岐ユニット９４のいずれか一方に表示用データの出力先を切り替える。
【０１０５】
ホストコンピュータ９２の図示されない制御部で表示用データが頁変換される。また、同じく制御部により接続されているディスプレイ９６の枚数が計数される。更に、計数されたディスプレイ９６の枚数と表示用データの頁数とが比較され、比較結果に基づいてディスプレイ９６に対する画像の書込みの仕方が上述の実施の形態と同様に制御される。この制御に応じて、頁変換された画像データがケーブル９８及び分岐ユニット９６を介して各ディスプレイ９６出力されて頁毎に画像が書込まれる。
【０１０６】
なお、上述した実施の形態では、検出した電子ペーパーの枚数と演算した電子ペーパーの枚数とを比較して、電子ペーパーへの書込みを制御する例について説明したが、第１の発明を適用することによって、枚数に代えて検出した電子ペーパーの表示量と、表示用データのデータ量とを比較し、上記の実施の形態と同様に電子ペーパーへの書込みを制御してもよい。
【０１０７】
【発明の効果】
以上説明したように本発明によれば、複数の表示媒体の表示量または枚数を検出し、表示用データのデータ量と検出された表示量または枚数とを比較し、比較結果に応じて前記複数の表示媒体への書込みの仕方を制御するようにしたため、複数の表示媒体に対する書込みを適切に行うことができる、という効果を奏する。
【図面の簡単な説明】
【図１】本発明を適用した書込システムの概略構成図である。
【図２】図２（ａ）は、書込システムにより光書込みされる電子ペーパーの一例を示す図であり、図２（ｂ）は、電子ペーパーの層構成を示した断面図である。
【図３】書込装置の制御部による処理ルーチンを示すフローチャートである。
【図４】コンピュータの制御部による処理ルーチンを示すフローチャートである。
【図５】コンピュータの制御部による処理ルーチンのうち、書込条件指示の処理ルーチンを示すフローチャートである。
【図６】本発明を電気的に書込みを行う書込装置を用いた書込システムに適用した場合の概略構成図である。
【図７】本発明を適用したマルチディスプレイシステムの概略構成図である。
【符号の説明】
１０  書込システム
２０  書込装置
２２  制御部
３０  コンピュータ
３２  制御部
３４  表示部
３６  入力部
５０  電子ペーパー
【図１】
2004286952.tif 000003
【図２】
2004286952.tif 000004
【図３】
2004286952.tif 000005
【図４】
2004286952.tif 000006
【図５】
2004286952.tif 000007
【図６】
2004286952.tif 000008
【図７】
2004286952.tif 000009